(57)【要約】
【課題】　運転時の速度が落ちてもコイルおよび磁石の回転速度を維持して、発電量が向上する自転車の発電装置を提供する。
【解決手段】　車輪軸１上にベアリング２、発電ユニット３およびギアーユニット４を設置して車輪外体５内に納置し、軸カバー１２およびナット１３で車輪軸１に固定し、ベアリング２を車輪外体５両端に定位させ、発電ユニット３はコイル３１および磁石３２を含み、そのうちコイル３１は車輪軸１に固定し、ギアーユニット４は内ギアー４１、遊星ギアー４２および駆動ギアー４３を含み、内ギアー４１を車輪外体５に固定し、内ギアー４１は遊星ギアー４２に噛み合い、遊星ギアー４２は駆動ギアー４３に噛み合い、駆動ギアー４３は車輪軸１上に枢設し、更に駆動ギアー４３はカバー管４３１に嵌入し、発電ユニット３Ａの磁石３２Ａに連動し、車輪外体５によって回転して発電する自転車の発電装置である。
【選択図】　　図１
0003100587.tif 000002
【実用新案登録請求の範囲】
【請求項１】
　車輪軸、ベアリング、発電ユニット、ギアーユニットおよび車輪外体から構成される自転車の発電装置において、
　車輪軸上にベアリング、発電ユニットおよびギアーユニットを設置して車輪外体内に納置するもので、軸カバーおよびナットで車輪軸に固定し、且つベアリングを車輪外体両端に定位させ、また発電ユニットはコイルおよび磁石を含み、そのうちコイルは車輪軸に固定し、ギアーユニットは内ギアー、遊星ギアーおよび駆動ギアーを含み、内ギアー車輪外体に固定し、内ギアーは遊星ギアーに噛み合い、遊星ギアーは駆動ギアーに噛み合い、駆動ギアーは車輪軸上に枢設し、且つ駆動ギアーはカバー管で嵌入し、発電ユニットの磁石に連動し、車輪外体によって回転して発電することを特徴とする自転車の発電装置。
【考案の詳細な説明】
【技術分野】
【０００１】
　本考案は、自転車の発電装置に関するもので、車輪外体が回転したとき、内ギアーによって遊星ギアーから駆動ギアーを動かし磁石とコイルとを相対して回転させる。このギアー比の変化によって相対運動時の速度が向上し、発電量の効果を高める。更に本考案は、自転車車輪だけなく、その他のキックボード、幼児三輪車等の車輪にも応用できる。
【背景技術】
【０００２】
　公知の自転車に設置される発電ユニットの構造は、基本的に車輪外体の車輪軸に磁石環が設置され、ベアリングの軸孔内縁にコイルが設置され、車輪外体が回転すると、この磁石環とコイルとが相対運動し、電磁誘導を形成し、電源が発生する。
　しかし、上記の構造は車輪外体がコイルおよび磁石環を動かし、車輪軸は固定して動かないため、自転車運転時、速度が落ちるとコイルおよび磁石環の回転速度もそれに応じて小さくなり、発電量も小さくなるので発電効果が悪くなるという問題点がある。
【考案の開示】
【考案が解決しようとする課題】
【０００３】
　よって本考案の課題は、運転時の速度が落ちてもコイルおよび磁石の回転速度を維持して、発電量が向上する自転車の発電装置を提供することである。
【課題を解決するための手段】
【０００４】
　本考案は、主に車輪軸、ベアリング、発電ユニット、ギアーユニットおよび車輪外体から構成される。そのうち、車輪軸上にベアリング、発電ユニットおよびギアーユニットを設置して車輪外体内に納置する。また軸カバーおよびナットで車輪軸に固定し、且つベアリングを車輪外体両端に定位させる。発電ユニットはコイルおよび磁石を含み、そのうちコイルは車輪軸に固定する。ギアーユニットは内ギアー、遊星ギアーおよび駆動ギアーを含み、内ギアーを車輪外体に固定し、内ギアーは遊星ギアーに噛み合い、遊星ギアーは駆動ギアーに噛み合い、駆動ギアーは車輪軸上に枢設する。更に駆動ギアーはカバー管に嵌入し、発電ユニットの磁石に連動し、車輪外体によって回転して発電することを最も主要な特徴とする。
【０００５】
　ギアー比の変化によって相対運動時の速度が向上し、発電量の効果を高めるという目的を実現した。
【考案を実施するための最良の形態】
【０００６】
（第一実施例）
　図１に示すとおり、本考案の第一実施例は、車輪軸１、ベアリング、発電ユニット３、ギアーユニット４および車輪外体５から構成される。そのうち、車輪軸１両端にはそれぞれネジ紋段１１が成形され、且つそのネジ紋段１１台には欠切平面１１１が形成され、ネジ紋段１１のキャリアー面は非円形（矩形に近い）とする。ネジ紋段１１には別に軸カバー１２およびナット１３を螺合する。
【０００７】
　ベアリング２は軸カバー１２外（軸カバー１２は車輪軸１に螺合する）に枢設する。
　発電ユニット３はコイル３１および磁石３２から構成され、コイルには孔３１１が設置され（図中の孔３１１は凸耳が設置される）、ネジ３１２でコイル３１を固定板３１３に固定し、固定板３１３中央には別に嵌合孔３１４が設置される。この嵌合孔３１４は車輪軸１のネジ紋段１１キャリアー面に対応し、固定台３１３の嵌合孔３１４をネジ紋段１１に嵌合する。別にコイル３１に電気コード３１５を設置して電源を送り出す。また本実施例の磁石３２は環状で、カバー管３２１上に固定し、このカバー管３２１内部は非円形の嵌入孔３２２とする。
【０００８】
　ギアーユニット４は内ギアー４１、遊星ギアー４２および駆動ギアー４３から構成され、そのうち、内ギアー４１には孔４１１が設置され（図中の孔４１１には凸耳が設置される）、ネジ４１２およびナット４１３で内ギアー４１を車輪外体５（後述）上にネジ止めする。遊星ギアー４２は、固定板４２１に枢設し、固定板４２１には嵌入孔４２２が設置され、嵌入孔４２２の形態は車輪軸１のネジ紋段１１キャリアー面に対応する。駆動ギアー４３はカバー管４３１に固定し、カバー管４３１のキャリアー面の外形は磁石３２の嵌入孔３２２に対応する。別にカバー管４３１内部は円形の穿孔４３２とする。
　車輪外体５内部には固定環５１が設置され、その固定環５１上には孔５１１が貫設される。車輪外体５周辺縁の孔は、スポークを使用する。これは公知のものと同じで、本考案には属さないため、説明を省略する。
【０００９】
　図２に示すとおり、車輪軸１上にベアリング２、発電ユニット３およびギアーユニット４を設置し、車輪外体５内に納置する。そのうち、ギアーユニット４の内ギアー４１はネジ４１２を孔４１１および孔５１１に差込み、続いてナット４１３で螺合する。そして内ギアー４１を車輪外体５の固定環５１に螺合し、遊星ギアー４２は固定板４２１の嵌入孔４２２にネジ紋段１１を差込んで螺合し、カバー管４３１を嵌入孔３２２内に入れ、磁石３２を連動する。また駆動ギアー４３は穿孔４３２に車輪軸１の中央を差込み、対応させて枢設回転する。図３に示すとおり、内ギアー４１は遊星ギアー４２と噛み合い、遊星ギアー４２は駆動ギアー４３と噛み合う。駆動ギアー４３を車輪軸１上に枢設し、且つ駆動ギアー４３はカバー管４３１で嵌入し、発電ユニット３の磁石３２を連動させる。図２に示すとおり、ギアーユニット４および発電ユニット３の磁石はどちらも車輪軸１上に組合せ、発電ユニット３のコイル３１はまたその固定板３１３の嵌入孔３１４から車輪軸１のネジ紋段１１を差込んで嵌合する。ベアリング２はそれぞれ車輪軸１に入れ、且つベアリング２は車輪外体５両端に位置し、軸カバー１２を車輪軸１に差込み、ベアリング２にあてる。更にナット１３を車輪軸１に固定し、且つベアリング２を車輪外体５両端に定位する。
　実施時、図２および図３に示すとおり、車輪外体５が運転によって回転すると、同時に内ギアー４が動き、そして遊星ギアー４２および駆動ギアー４３が回転する。磁石３２が回転し、コイル３１に対応して発電する。そのためギアーユニット４のギアー比により、発電量が増加する。
【００１０】
（第二実施例）
　図４に示すとおり、第一実施例と異なるのは、発電ユニット３Ａのコイル３１Ａと磁石３２Ａの形態である。即ちカバー管３２１Ａの一端が大きく、磁石３２Ａもまた大きく、カバー管３２１Ａ内に入れる。またコイル３１Ａは小さく、また磁石３２Ａには隙間があり、コイル３１Ａ外に被せる。第二実施例の動作は、第一実施例と同じであるので、説明を省略する。
　自転車車輪だけでなく、その他、例としてキックボード、幼児三輪車等の車輪にも適用できる。
【図面の簡単な説明】
【００１１】
【図１】本考案の第一実施例による自転車の発電装置を示す分解斜視図である。
【図２】本考案の第一実施例による自転車の発電装置を示す組立断面図である。
【図３】本考案の第一実施例による自転車の発電装置を示す部分拡大図である。
【図４】本考案の第二実施例による自転車の発電装置を示す組立断面図である。
【符号の説明】
【００１２】
　１　車輪軸、１１　ネジ紋段、１１１　欠切平面、１２　軸カバー、１３　ナット、２　ベアリング、３　発電ユニット、３１　コイル、３１１　孔、３１２　ネジ、３１３　固定板、３１４　嵌合孔、３１５　電気コード、３２　磁石、３２１　カバー管、３２２　嵌入孔、３Ａ　発電ユニット、３１Ａ　コイル、３２Ａ　磁石、３２１Ａ　カバー管、４　ギアーユニット、４１　内ギアー、４１１　孔、４１２　ネジ、４１３　ナット、４２　遊星ギアー、４２１　固定板、４２２　嵌入孔、４３　駆動ギアー、４３１　カバー管、４３２　穿孔、５　車輪外体、５１　固定環、５１１　孔
【図１】
0003100587.tif 000003
【図２】
0003100587.tif 000004
【図３】
0003100587.tif 000005
【図４】
0003100587.tif 000006